(57)【特許請求の範囲】
【請求項１】
電子機器であって、
同時に視認可能な複数の表示画面と、
音を出力する音出力部と、
前記音出力部の音出力を制御する音出力制御部と、
前記電子機器が振られる操作及び前記電子機器の姿勢が変化させられる操作の少なくとも一方を検出する操作検出部と、
アプリケーションプログラムを記憶する記憶部と、
アプリケーションプログラムを実行する実行部と
を備え、
前記音出力制御部は、その実行にともなう表示及び音出力が行われる複数のアプリケーションプログラムが実行されている場合には、当該複数のアプリケーションプログラムのうちの一つのアプリケーションプログラムの実行にともなう音出力を前記音出力部が行うように当該音出力部を制御し、
前記音出力制御部は、前記複数のアプリケーションプログラムが実行されている場合において、前記操作検出部が前記電子機器に対する第１の所定操作を検出すると、前記音出力部が音出力を行うアプリケーションプログラムを変更し、
前記第１の所定操作には、前記電子機器が振られる操作が含まれる、電子機器。
【請求項２】
電子機器であって、
同時に視認可能な複数の表示画面と、
音を出力する音出力部と、
前記音出力部の音出力を制御する音出力制御部と、
前記電子機器が振られる操作及び前記電子機器の姿勢が変化させられる操作の少なくとも一方を検出する操作検出部と、
アプリケーションプログラムを記憶する記憶部と、
アプリケーションプログラムを実行する実行部と
を備え、
前記音出力制御部は、その実行にともなう表示及び音出力が行われる複数のアプリケーションプログラムが実行されている場合には、当該複数のアプリケーションプログラムのうちの一つのアプリケーションプログラムの実行にともなう音出力を前記音出力部が行うように当該音出力部を制御し、
前記音出力制御部は、前記複数のアプリケーションプログラムが実行されている場合において、前記操作検出部が前記電子機器に対する第１の所定操作を検出すると、前記音出力部が音出力を行うアプリケーションプログラムを変更し、
前記第１の所定操作には、前記電子機器がひっくり返されて元に戻される操作と前記電子機器が傾けられて元に戻される操作との少なくとも一方が含まれる、電子機器。
【請求項３】
電子機器であって、
同時に視認可能な複数の表示画面と、
音を出力する音出力部と、
前記音出力部の音出力を制御する音出力制御部と、
前記電子機器が振られる操作及び前記電子機器の姿勢が変化させられる操作の少なくとも一方を検出する操作検出部と、
アプリケーションプログラムを記憶する記憶部と、
アプリケーションプログラムを実行する実行部と
を備え、
前記音出力制御部は、その実行にともなう表示及び音出力が行われる複数のアプリケーションプログラムが実行されている場合には、当該複数のアプリケーションプログラムのうちの一つのアプリケーションプログラムの実行にともなう音出力を前記音出力部が行うように当該音出力部を制御し、
前記音出力制御部は、前記複数のアプリケーションプログラムが実行されている場合において、前記操作検出部が前記電子機器に対する第１の所定操作を検出すると、前記音出力部が音出力を行うアプリケーションプログラムを変更し、
前記音出力制御部は、前記操作検出部が前記電子機器に対する、前記第１の所定操作とは異なる第２の所定操作を検出すると、前記音出力部の音量を変更する、電子機器。
【請求項４】
電子機器であって、
同時に視認可能な複数の表示画面と、
音を出力する音出力部と、
前記音出力部の音出力を制御する音出力制御部と、
前記電子機器が振られる操作及び前記電子機器の姿勢が変化させられる操作の少なくとも一方を検出する操作検出部と、
アプリケーションプログラムを記憶する記憶部と、
アプリケーションプログラムを実行する実行部と
を備え、
前記音出力制御部は、その実行にともなう表示及び音出力が行われる複数のアプリケーションプログラムが実行されている場合には、当該複数のアプリケーションプログラムのうちの一つのアプリケーションプログラムの実行にともなう音出力を前記音出力部が行うように当該音出力部を制御し、
前記音出力制御部は、前記複数のアプリケーションプログラムが実行されている場合において、前記操作検出部が前記電子機器に対する第１の所定操作を検出すると、前記音出力部が音出力を行うアプリケーションプログラムを変更し、
前記操作検出部が前記電子機器に対する前記第１の所定操作を検出すると、音出力の変更先のアプリケーションプログラムの実行にともなう表示が前記複数の表示画面のすべてを使用して行われる、電子機器。
【請求項５】
電子機器であって、
同時に視認可能な複数の表示画面と、
音を出力する音出力部と、
前記音出力部の音出力を制御する音出力制御部と、
前記電子機器が振られる操作及び前記電子機器の姿勢が変化させられる操作の少なくとも一方を検出する操作検出部と、
アプリケーションプログラムを記憶する記憶部と、
アプリケーションプログラムを実行する実行部と
を備え、
前記音出力制御部は、その実行にともなう表示及び音出力が行われる複数のアプリケーションプログラムが実行されている場合には、当該複数のアプリケーションプログラムのうちの一つのアプリケーションプログラムの実行にともなう音出力を前記音出力部が行うように当該音出力部を制御し、
前記音出力制御部は、前記複数のアプリケーションプログラムが実行されている場合において、前記操作検出部が前記電子機器に対する第１の所定操作を検出すると、前記音出力部が音出力を行うアプリケーションプログラムを変更し、
前記複数の表示画面のそれぞれは、タッチパネルであって、
前記複数の表示画面に対する画面操作を検出する画面操作検出部をさらに備え、
前記音出力制御部は、実行中の前記複数のアプリケーションプログラムのうち、前記音出力部が音出力を行っていないアプリケーションプログラムの実行にともなう表示が行われている表示画面に対する所定の画面操作が前記画面操作検出部で検出されると、前記音出力部が音出力を行うアプリケーションプログラムを、当該画面操作が行われた表示画面にその実行にともなう表示が行われているアプリケーションプログラムに変更する、電子機器。
【請求項６】
同時に視認可能な複数の表示画面と、音を出力する音出力部とを備える電子機器を制御するための制御プログラムであって、
前記電子機器に、
（ａ）前記電子機器が振られる操作及び前記電子機器の姿勢が変化させられる操作の少なくとも一方を検出する工程と、
（ｂ）前記電子機器において、その実行にともなう表示及び音出力が行われる複数のアプリケーションプログラムが実行されている場合に、当該複数のアプリケーションプログラムのうちの一つのアプリケーションプログラムの実行にともなう音出力を前記音出力部が行うように当該音出力部を制御する工程と、
（ｃ）前記電子機器において、前記複数のアプリケーションプログラムが実行されている場合に、前記工程（ａ）において前記電子機器に対する所定操作が検出されると、前記音出力部が音出力を行うアプリケーションプログラムを変更する工程と
を実行させるための制御プログラム。
【発明の詳細な説明】
【技術分野】
【０００１】
本発明は、同時に視認可能な複数の表示画面を備える電子機器に関する。
【背景技術】
【０００２】
従来から電子機器に関して様々な技術が提案されている。例えば特許文献１には、電子機器の一種である携帯電話機に関する技術が開示されている。
【先行技術文献】
【特許文献】
【０００３】
【特許文献１】特開２００３−１５２８２６号公報
【発明の概要】
【発明が解決しようとする課題】
【０００４】
さて、電子機器においては、その操作性の向上が望まれている。
【０００５】
そこで、本発明は上述の点に鑑みて成されたものであり、電子機器の操作性を向上することが可能な技術を提供することを目的とする。
【課題を解決するための手段】
【０００６】
上記課題を解決するため、本発明に係る電子機器は、同時に視認可能な複数の表示画面と、音を出力する音出力部と、前記音出力部の音出力を制御する音出力制御部と、前記電子機器が振られる操作及び前記電子機器の姿勢が変化させられる操作の少なくとも一方を検出する操作検出部と、アプリケーションプログラムを記憶する記憶部と、アプリケーションプログラムを実行する実行部とを備え、前記音出力制御部は、その実行にともなう表示及び音出力が行われる複数のアプリケーションプログラムが実行されている場合には、当該複数のアプリケーションプログラムのうちの一つのアプリケーションプログラムの実行にともなう音出力を前記音出力部が行うように当該音出力部を制御し、前記音出力制御部は、前記複数のアプリケーションプログラムが実行されている場合において、前記操作検出部が前記電子機器に対する第１の所定操作を検出すると、前記音出力部が音出力を行うアプリケーションプログラムを変更し、前記第１の所定操作には、前記電子機器が振られる操作が含まれる。
【００１０】
また、本発明に係る電子機器の一態様は、同時に視認可能な複数の表示画面と、音を出力する音出力部と、前記音出力部の音出力を制御する音出力制御部と、前記電子機器が振られる操作及び前記電子機器の姿勢が変化させられる操作の少なくとも一方を検出する操作検出部と、アプリケーションプログラムを記憶する記憶部と、アプリケーションプログラムを実行する実行部とを備え、前記音出力制御部は、その実行にともなう表示及び音出力が行われる複数のアプリケーションプログラムが実行されている場合には、当該複数のアプリケーションプログラムのうちの一つのアプリケーションプログラムの実行にともなう音出力を前記音出力部が行うように当該音出力部を制御し、前記音出力制御部は、前記複数のアプリケーションプログラムが実行されている場合において、前記操作検出部が前記電子機器に対する第１の所定操作を検出すると、前記音出力部が音出力を行うアプリケーションプログラムを変更し、前記第１の所定操作には、前記電子機器がひっくり返されて元に戻される操作と前記電子機器が傾けられて元に戻される操作との少なくとも一方が含まれる。
【００１１】
また、本発明に係る電子機器の一態様は、同時に視認可能な複数の表示画面と、音を出力する音出力部と、前記音出力部の音出力を制御する音出力制御部と、前記電子機器が振られる操作及び前記電子機器の姿勢が変化させられる操作の少なくとも一方を検出する操作検出部と、アプリケーションプログラムを記憶する記憶部と、アプリケーションプログラムを実行する実行部とを備え、前記音出力制御部は、その実行にともなう表示及び音出力が行われる複数のアプリケーションプログラムが実行されている場合には、当該複数のアプリケーションプログラムのうちの一つのアプリケーションプログラムの実行にともなう音出力を前記音出力部が行うように当該音出力部を制御し、前記音出力制御部は、前記複数のアプリケーションプログラムが実行されている場合において、前記操作検出部が前記電子機器に対する第１の所定操作を検出すると、前記音出力部が音出力を行うアプリケーションプログラムを変更し、前記音出力制御部は、前記操作検出部が前記電子機器に対する、前記第１の所定操作とは異なる第２の所定操作を検出すると、前記音出力部の音量を変更する。
【００１７】
また、本発明に係る電子機器の一態様は、同時に視認可能な複数の表示画面と、音を出力する音出力部と、前記音出力部の音出力を制御する音出力制御部と、前記電子機器が振られる操作及び前記電子機器の姿勢が変化させられる操作の少なくとも一方を検出する操作検出部と、アプリケーションプログラムを記憶する記憶部と、アプリケーションプログラムを実行する実行部とを備え、前記音出力制御部は、その実行にともなう表示及び音出力が行われる複数のアプリケーションプログラムが実行されている場合には、当該複数のアプリケーションプログラムのうちの一つのアプリケーションプログラムの実行にともなう音出力を前記音出力部が行うように当該音出力部を制御し、前記音出力制御部は、前記複数のアプリケーションプログラムが実行されている場合において、前記操作検出部が前記電子機器に対する第１の所定操作を検出すると、前記音出力部が音出力を行うアプリケーションプログラムを変更し、前記操作検出部が前記電子機器に対する前記第１の所定操作を検出すると、音出力の変更先のアプリケーションプログラムの実行にともなう表示が前記複数の表示画面のすべてを使用して行われる。
【００１８】
また、本発明に係る電子機器の一態様は、同時に視認可能な複数の表示画面と、音を出力する音出力部と、前記音出力部の音出力を制御する音出力制御部と、前記電子機器が振られる操作及び前記電子機器の姿勢が変化させられる操作の少なくとも一方を検出する操作検出部と、アプリケーションプログラムを記憶する記憶部と、アプリケーションプログラムを実行する実行部とを備え、前記音出力制御部は、その実行にともなう表示及び音出力が行われる複数のアプリケーションプログラムが実行されている場合には、当該複数のアプリケーションプログラムのうちの一つのアプリケーションプログラムの実行にともなう音出力を前記音出力部が行うように当該音出力部を制御し、前記音出力制御部は、前記複数のアプリケーションプログラムが実行されている場合において、前記操作検出部が前記電子機器に対する第１の所定操作を検出すると、前記音出力部が音出力を行うアプリケーションプログラムを変更し、前記複数の表示画面のそれぞれは、タッチパネルであって、前記複数の表示画面に対する画面操作を検出する画面操作検出部をさらに設けられ、前記音出力制御部は、実行中の前記複数のアプリケーションプログラムのうち、前記音出力部が音出力を行っていないアプリケーションプログラムの実行にともなう表示が行われている表示画面に対する所定の画面操作が前記画面操作検出部で検出されると、前記音出力部が音出力を行うアプリケーションプログラムを、当該画面操作が行われた表示画面にその実行にともなう表示が行われているアプリケーションプログラムに変更する。
【００２０】
また、本発明に係る制御プログラムは、同時に視認可能な複数の表示画面と、音を出力する音出力部とを備える電子機器を制御するための制御プログラムであって、前記電子機器に、（ａ）前記電子機器が振られる操作及び前記電子機器の姿勢が変化させられる操作の少なくとも一方を検出する工程と、（ｂ）前記電子機器において、その実行にともなう表示及び音出力が行われる複数のアプリケーションプログラムが実行されている場合に、当該複数のアプリケーションプログラムのうちの一つのアプリケーションプログラムの実行にともなう音出力を前記音出力部が行うように当該音出力部を制御する工程と、（ｃ）前記電子機器において、前記複数のアプリケーションプログラムが実行されている場合に、前記工程（ａ）において前記電子機器に対する所定操作が検出されると、前記音出力部が音出力を行うアプリケーションプログラムを変更する工程とを実行させるための制御プログラムである。
【発明の効果】
【００２２】
本発明によれば、電子機器の操作性を向上することができる。
【図面の簡単な説明】
【００２３】
【図１】閉状態の電子機器の外観を示す斜視図である。
【図２】閉状態の電子機器の外観を示す斜視図である。
【図３】開状態の電子機器の外観を示す斜視図である。
【図４】開状態の電子機器の外観を示す斜視図である。
【図５】電子機器の電気的構成を示すブロック図である。
【図６】制御部の機能ブロック構成を示す図である。
【図７】電子機器の表示例を示す図である。
【図８】電子機器が振られる様子を示す図である。
【図９】電子機器の表示例を示す図である。
【図１０】電子機器が上方向に２回振られる様子を示す図である。
【図１１】電子機器が下方向に２回振られる様子を示す図である。
【図１２】電子機器が右方向に２回振られる様子を示す図である。
【図１３】電子機器が左方向に２回振られる様子を示す図である。
【図１４】電子機器がひっくり返されている様子を示す図である。
【図１５】電子機器が傾けられて元に戻される様子を示す図である。
【図１６】電子機器が上方向に１回振られる様子を示す図である。
【図１７】電子機器が下方向に１回振られる様子を示す図である。
【図１８】電子機器が前後方向に傾けられる様子を示す図である。
【図１９】アクティブアプリケーションの実行にともなう表示が複数の表示画面を使用して行われている様子を示す図である。
【図２０】電子機器の表示画面に対して画面操作が行われる様子を示す図である。
【図２１】３つの表示画面を有する電子機器の表示例を示す図である。
【発明を実施するための形態】
【００２４】
図１〜４は、本実施の形態に係る電子機器１００の外観を示す斜視図である。電子機器１００は、一種のコンピュータであって、例えば、開閉可能な携帯電話機である。電子機器１００は、第１筐体１と第２筐体２とを備えている。図１は、閉じた状態（閉状態）の電子機器１００を第１筐体１側から見た場合の図であり、図２は、閉じた状態の電子機器１００を第２筐体２側から見た場合の図である。図３，４は、開いた状態（開状態）の電子機器１００を示している。
【００２５】
ここで、電子機器１００が閉じた状態とは、図１，２に示されるように、第１筐体１に設けられた第１表示部３ａの第１表示画面４ａが露出した状態で、第１筐体１と第２筐体２とが互いに重なるように配置された状態である。この場合、第１表示画面４ａと、第２筐体２に設けられた第２表示部３ｂの第２表示画面４ｂとは、間をあけて重なり合った状態となるので、両者の成す角度は０度と言うことができる。
【００２６】
一方で、電子機器１００が開いた状態とは、図３，４に示されるように、第１表示部３ａの第１表示画面４ａと、第２表示部３ｂの第２表示画面４ｂとが、同時に視認可能となるように、第１筐体１と第２筐体２とが重ならないように配置された状態である。図３に示される電子機器１００は、第１表示画面４ａ及び第２表示画面４ｂが１８０度を成すように、言い換えれば、同一平面上に位置するように開いている。図４に示される電子機器１００は、第１表示画面４ａ及び第２表示画面４ｂが０度よりも大きく１８０度よりも小さい角度を成すように開いている。
【００２７】
以後、図３に示されるように、第１表示画面４ａ及び第２表示画面４ｂが同一平面上に位置する状態を「フラット状態」と呼ぶ。また、図４に示されるように、第１表示画面４ａ及び第２表示画面４ｂが０度よりも大きく１８０度よりも小さい角度を成すように開いている状態を「チルト状態」と呼ぶ。また、第１筐体１及び第２筐体２をまとめて「機器筐体」と呼ぶことがある。また、第１筐体１及び第２筐体２を特に区別する必要がない場合には、それぞれを「筐体」と呼ぶことがある。
【００２８】
第１表示画面４ａは、タッチパネルであって、ユーザの当該第１表示画面４ａに対する画面操作を受け付ける。同様に、第２表示画面４ｂは、タッチパネル機であって、ユーザの当該第２表示画面４ｂに対する画面操作を受け付ける。以後、第１表示部３ａ及び第２表示部３ｂを特に区別する必要がない場合には、それぞれを「表示部３」と呼び、それぞれの表示画面を「表示画面４」と呼ぶ。
【００２９】
第１筐体１と第２筐体２とは、ヒンジ部５及びアーム部６によって連結されている。ヒンジ部５は、第２筐体２に設けられている。アーム部６は、第２筐体２に対して角度変更可能となるようにヒンジ部５に接続されている。また、アーム部６は、第１筐体１に対して角度変更可能となるように当該第１筐体１に接続されている。電子機器１００では、ヒンジ部５及びアーム部６の働きによって、図１，２の閉状態から、図４のチルト状態に遷移することができ、図４のチルト状態から図３のフラット状態に遷移することができる。また、電子機器１００では、ヒンジ部５及びアーム部６の働きによって、図３のフラット状態から図４のチルト状態へ、図４のチルト状態から図１，２の閉状態へ遷移することが可能である。
【００３０】
第１筐体１には、第１表示部３ａ以外にも、音入力部７、第１音出力部８及び第１操作部１０が設けられている。また、第２筐体２には、第２表示部３ｂ以外にも、第２音出力部９、第２操作部１１、第３操作部１２、メモリカード挿入スロット１３及び充電端子１４が設けられている。
【００３１】
音入力部７はマイク及びアンプ等で構成されている。第１音出力部８及び第２音出力部９のそれぞれはスピーカ及びアンプ等で構成されている。第１音出力部８は通話用であって、その音量は、ユーザが第１音出力部８に耳を近づけることによって、当該第１音出力部８から出力される音が聞こえるような、比較的小さな音量となっている。一方で、第２音出力部９の音量は、電子機器１００を持つユーザが耳を第２音出力部９に近づけなくてもそこから出力される音が聞こえるような、比較的大きな音量となっている。
【００３２】
第１操作部１０は、ホームキー１０ａ、メニューキー１０ｂ及びバックキー１０ｃを備えている。これらの操作キーは、第１筐体１における、第１表示画面４ａ側の主面に設けられており、それぞれユーザの接触操作を受け付ける。ホームキー１０ａは、第１表示画面４ａに、ホーム画面（初期画面）を表示するための操作キーである。メニューキー１０ｂは、アプリケーションプログラムが実行されている際に、オプション機能を実行するためのメニュー画面を表示するための操作キーである。バックキー１０ｃは、第１表示画面４ａの表示を一つ前の表示に戻すための操作キーである。
【００３３】
第２操作部１１は、第１操作部１０と同様に、ホームキー１１ａ、メニューキー１１ｂ及びバックキー１１ｃを備えている。これらのキーは、第２筐体２における、第２表示画面４ｂ側の主面に設けられており、それぞれユーザの接触操作を受け付ける。ホームキー１１ａ、メニューキー１１ｂ及びバックキー１１ｃの機能は、第１操作部１０のホームキー１０ａ、メニューキー１０ｂ及びバックキー１０ｃの機能と同様である。
【００３４】
第３操作部１２は、電源キー１２ａ及び調整キー１２ｂを備えている。電源キー１２ａは電子機器１００の電源をオンしたり、オフしたりするための操作キーである。調整キー１２ｂは、表示画面４の輝度を調整したり、第１音出力部８及び第２音出力部９の音量を調整したりするための操作キーである。これらの操作キーは、第２筐体２の側面に設けられており、ユーザの押下操作を受け付ける。
【００３５】
以後、第１操作部１０、第２操作部１１及び第３操作部１２を特に区別する必要がない場合には、それぞれを「キー操作部」と呼ぶことがある。
【００３６】
メモリカード挿入スロット１３には、カード状の記憶媒体であるメモリカードが挿入される。充電端子１４には、電子機器１００を充電するための充電器に接続されたケーブルが接続される。
【００３７】
＜電気的構成＞
図５は電子機器１００の電気的構成を示すブロック図である。図５に示されるように、電子機器１００は、上述の第１表示部３ａ及び第２表示部３ｂなどの構成要素以外にも、制御部２０、無線通信部２１、加速度センサー２２、記憶部２３及び電池２５を備えている。
【００３８】
制御部２０は、ＣＰＵ（Central Processing Unit）及びＤＳＰ（Digital Signal Processor）などで構成されており、電子機器１００の他の構成要素を制御することによって、電子機器１００の動作を統括的に管理する。また、制御部２０は、第１表示部３ａ、第２表示部３ｂ、第１操作部１０、第２操作部１１及び第３操作部１２が受け付けたユーザ操作に応じて、各種動作を行う。
【００３９】
記憶部２３は、ＲＯＭ（Read Only Memory）及びＲＡＭ（Random Access Memory）等で構成されている。記憶部２３には、電子機器１００を制御するための制御プログラムであるメインプログラム２６及び複数のアプリケーションプログラム２４等が記憶されている。制御部２０の各種機能は、制御部２０のＣＰＵ及びＤＳＰが記憶部２３内の各種プログラムを実行することによって実現される。
【００４０】
無線通信部２１は、電子機器１００とは別の携帯電話機や、インターネットに接続されたウェブサーバ等の通信装置からの信号を、図示しない基地局を通じてアンテナ２１ａで受信する。無線通信部２１は、受信信号に対して増幅処理やダウンコンバートを行って制御部２０に出力する。制御部２０は、入力された受信信号に対して復調処理等を行って、当該受信信号に含まれる、音声データ、画像データ等の各種データを取得する。また無線通信部２１は、制御部２０で生成された、音声データ等を含む送信信号に対してアップコンバートや増幅処理を行って、処理後の送信信号をアンテナ２１ａを通じて、電子機器１００とは別の携帯電話機や、インターネットに接続された通信装置に向けて無線送信する。
【００４１】
音入力部７は、外部から入力される音声などの音を音データに変換して制御部２０に出力する。第１音出力部８及び第２音出力部９のそれぞれは、制御部２０からの音声データや音楽データ等の音データを音に変換して外部に出力する。
【００４２】
第１表示部３ａと第２表示部３ｂとは同様の構成を有している。各表示部３は、例えば、カラー表示を行うバックライト方式の液晶表示部であって、液晶表示パネルと、それに光を照射するバックライトとを備えている。各表示部３は、制御部２０による制御によって、その表示画面４に文字、記号、図形などの各種情報を表示する。なお、表示部３は、液晶表示部以外の表示部であっても良い。例えば、表示部３は、有機ＥＬディスプレイであっても良いし、複数のＬＥＤがマトリックス状に配列された表示部であっても良い。
【００４３】
加速度センサー２２は、例えば、３軸加速度センサーであって、互いに直交する３つの検出軸のそれぞれについて、当該検出軸に沿った方向の加速度を検出して制御部２０に出力する。
【００４４】
電池２５は、電子機器１００の電源を生成する。電池２５で生成された電源は、電子機器１００が備える制御部２０及び無線通信部２１などに含まれる各電子部品に対して供給される。
【００４５】
記憶部２３には様々なアプリケーションプログラム２４（以後、単に「アプリケーション２４」と呼ぶ）が記憶されている。記憶部２３には、例えば、音声通信を行うための通話アプリケーション、ウェブサイトを表示するためのブラウザ、電子メールの作成・閲覧・送受信を行うためのメールアプリケーション、記憶部２３に記憶されている静止画像データを表示するためのアプリケーション、記憶部２３に記憶されている音楽データを再生するための音楽再生アプリケーションが記憶されている。
【００４６】
また記憶部２３には、記憶部２３に記憶されている、互いに関連づけられた音データ及び動画像データ（音付き動画像データ）を再生するためのアプリケーション、アプリケーションを有料あるいは無料で提供するウェブサーバからアプリケーションをダウンロードするためのマーケットアプリケーション、電子機器１００においてパズルゲーム等のゲームを行うためのゲームアプリケーションが記憶されている。
【００４７】
また記憶部２３には、特定のウェブサイトから提供される、互いに関連づけられた音データ及び動画像データ（音付き動画像データ）を再生するためのアプリケーション（特定のウェブサイトから提供される音付き動画像データを再生するための専用ブラウザ）、特定のウェブサイトから提供される地図データを表示するためのマップアプリケーション（特定のウェブサイトから提供される地図データ表示するための専用ブラウザ）、テレビ放送データを再生するテレビ視聴アプリケーションが記憶されている。
【００４８】
以後、記憶部２３に記憶されている音付き動画像データを再生するためのアプリケーションと、特定のウェブサイトから提供される音付き動画像データを再生するためのアプリケーション（専用ブラウザ）とをまとめて「音付き動画像再生アプリケーション」と呼ぶ。
【００４９】
制御部２０のＣＰＵあるいはＤＳＰが、記憶部２３内のアプリケーション２４を読み出して実行すると、当該アプリケーション２４が電子機器１００内で起動する。アプリケーション２４を実行している制御部２０が、無線通信部２１及び表示部３等の、電子機器１００内の他の構成要素を制御することによって、当該アプリケーション２４に対応する機能（音声通信を行う機能、ウェブサイトを表示する機能、静止画像を表示する機能等）が電子機器１００で実行される。
【００５０】
本実施の形態に係る電子機器１００では、記憶部２３に記憶される各アプリケーション２４について、当該アプリケーション２４が実行される際には、その実行にともなう表示が表示画面４で行われるようになっている。
【００５１】
例えば、ウェブブラウザの実行中においては、アクセス先のウェブサイトを表示するとともに、アクセス先のウェブサイトの指定等を行うための画面が表示画面４に表示される。また、メールアプリケーションの実行中においては、メール作成画面等が表示画面４に表示される。また、音付き動画像再生アプリケーションの実行中においては、音付き動画像データに係る動画像を表示するとともに、当該音付き動画像データの再生、再生の停止、早送り等を指示するための画面が表示画面４に表示される。
【００５２】
また、ウェブブラウザ、ゲームアプリケーション、音楽再生アプリケーション、音付き動画像再生アプリケーションなどでは、その実行にともなう表示が行われるだけではなく、その実行にともなう音出力が第２音出力部９で行われる。
【００５３】
例えば、ウェブブラウザの実行中においては、アクセス先のウェブサイトで提供されている音データあるいは音付き動画像データが再生されると第２音出力部９から音出力が行われる。また、音楽再生アプリケーションの実行中においては、音楽データが再生されると第２音出力部９から音出力が行われる。また、音付き動画像再生アプリケーションの実行中においては、音付き動画像データが再生されると第２音出力部９から音出力が行われる。
【００５４】
以後、ウェブブラウザ、ゲームアプリケーション、音楽再生アプリケーション、音付き動画像再生アプリケーションなどのように、その実行にともなう表示が表示画面４で行われ、かつその実行にともなう音出力が第２音出力部９で行われるアプリケーション２４を「表示・音出力アプリケーション２４」と呼ぶ。
【００５５】
次に制御部２０が有する複数の機能ブロックについて説明する。図６は当該複数の機能ブロックを示す図である。制御部２０のＣＰＵが記憶部２３内のメインプログラム２６を実行することによって、制御部２０には、図６に示されるように、実行部２００、表示制御部２０１、画面操作特定部２０２、キー操作特定部２０３、筐体操作特定部２０４、通信制御部２０５及び音出力制御部２０６などの機能ブロックが形成される。
【００５６】
本実施の形態では、第１表示部３ａ、第２表示部３ｂ及び画面操作特定部２０２によって、電子機器１００が備える複数の表示画面４に対する画面操作を検出する画面操作検出部２２０を構成している。また、第１操作部１０、第２操作部１１、第３操作部１２及びキー操作特定部２０３によって、電子機器１００が備える複数のキー操作部に対する操作を検出するキー操作検出部２３０を構成している。また、加速度センサー２２及び筐体操作特定部２０４によって、機器筐体（第１筐体１及び第２筐体２）に対する操作を検出する筐体操作検出部２４０を構成している。筐体操作検出部２４０は、機器筐体が振られる操作及び機器筐体の姿勢が変化させられる操作を検出する。つまり、筐体操作検出部２４０は、電子機器１００が振られる操作及び電子機器１００の姿勢が変化させられる操作を検出する。
【００５７】
実行部２００は、記憶部２３内のアプリケーション２４を実行する。実行部２００は、画面操作検出部２２０が、表示画面４に対する、あるアプリケーション２４の実行を指示する画面操作を検出すると、記憶部２３内の当該アプリケーション２４を実行する。本実施の形態では、表示画面４に表示されるホーム画面には、アプリケーション２４に対応するアイコンが示され、当該アイコンがユーザによって操作されると、当該アイコンに対応するアプリケーション２４が実行される。このアイコンに対する操作が、表示画面４に対する、アプリケーション２４の実行を指示する画面操作である。
【００５８】
表示制御部２０１は、第１表示部３ａ及び第２表示部３ｂの表示を制御する。第１表示部３ａは、表示制御部２０１による制御によって、第１表示画面４ａに文字等の情報を表示する。同様に、第２表示部３ｂは、表示制御部２０１による制御によって、第２表示画面４ｂに文字等の情報を表示する。
【００５９】
画面操作特定部２０２は、第１表示画面４ａが受け付けた画面操作の内容を特定する。例えば、画面操作特定部２０２は、第１表示画面４ａに対して行われた画面操作が、第１表示画面４ａのある部分を指で押す操作であることを特定したり、第１表示画面４ａに対して指が接触した状態である部分から別の部分まで移動する操作であることを特定したりする。同様にして、画面操作特定部２０２は、第２表示画面４ｂが受け付けた画面操作の内容を特定する。制御部２０では、画面操作特定部２０２で特定された画面操作の内容に応じた処理が行われる。
【００６０】
キー操作特定部２０３は、第１操作部１０が備える複数の操作キーのうちどの操作キーが操作されたかを特定する。また、キー操作特定部２０３は、第２操作部１１が備える複数の操作キーのうちどの操作キーが操作されたかを特定する。そして、キー操作特定部２０３は、第３操作部１２が備える複数の操作キーのうちどの操作キーが操作されたかを特定する。制御部２０では、操作された操作キーに応じた処理が行われる。
【００６１】
筐体操作特定部２０４は、加速度センサー２２からの出力信号に基づいて、機器筐体に対する操作の内容を特定する。例えば、筐体操作特定部２０４は、加速度センサー２２からの出力信号に基づいて、電子機器１００がユーザによってどのように振られているのか、電子機器１００の姿勢がユーザによってどのように変化させられたのかを特定する。制御部２０では、筐体操作特定部２０４で特定された、機器筐体に対する操作の内容に応じた処理が行われる。
【００６２】
通信制御部２０５は、無線通信部２１を制御して、通信相手先と様々な通信を行う。例えば、通信制御部２０５は、通信相手の携帯電話機と、音声通信や電子メール通信を行う。音声通信を行う際には、通信制御部２０５は、音入力部７から入力される音声データを含む送信信号を生成し、当該送信信号を無線通信部２１を通じて通信相手の携帯電話機に対して送信する。また、通信制御部２０５は、無線通信部２１が受信した信号から音声データを取得して、当該音声データを第１音出力部８に出力する。また、通信制御部２０５はウェブサーバとデータ通信を行う。通信制御部２０５がウェブサーバから無線通信部２１を通じて受信したウェブページは、表示制御部２０１の表示部３に対する制御により、当該表示部３の表示画面４に表示される。
【００６３】
音出力制御部２０６は第１音出力部８の音出力を制御する。音出力制御部２０６は、第１音出力部８に対して音データを出力して当該第１音出力部８に音を外部に出力させる。また、音出力制御部２０６は、第１音出力部８に対する音データの出力を停止して、当該第１音出力部８が音を外部に出力することを停止する。また、音出力制御部２０６は、第１音出力部８の音量を制御することが可能である。同様にして、音出力制御部２０６は第２音出力部９の音出力も制御する。
【００６４】
＜複数の表示・音出力アプリケーションの同時実行＞
本実施の形態に係る電子機器１００では、複数の表示・音出力アプリケーション２４が同時に実行可能となっている。具体的には、２つの表示・音出力アプリケーション２４が同時に実行可能となっている。図７は、開状態（フラット状態あるいはチルト状態）の電子機器１００において、実行部２００が２つの表示・音出力アプリケーション２４を同時に実行している際の各表示画面４の表示例を示す図である。図７においては、電子機器１００の構造が簡略化されて示されている。以後の図面においても、電子機器１００の構造については簡略化して示すものとする。
【００６５】
図７の例では、音楽再生アプリケーションと音付き動画像再生アプリケーションとが実行されている場合の各表示画面４の表示例が示されている。第１表示画面４ａでは、音楽再生アプリケーションの実行にともなう表示が行われている。また、第２表示画面４ｂでは、音付き動画像再生アプリケーションの実行にともなう表示が行われている。
【００６６】
図７に示されるように、２つの表示・音出力アプリケーション２４が実行されている場合には、表示制御部２０１が第１表示部３ａ及び第２表示部３ｂを制御することによって、当該２つの表示・音出力アプリケーション２４の実行にともなう表示が、第１表示画面４ａ及び第２表示画面４ｂにおいてそれぞれ行われる。言い換えれば、２つの表示・音出力アプリケーション２４が、電子機器１００が備える２つの表示画面４をそれぞれ利用して実行される。
【００６７】
また、本実施の形態に係る電子機器１００では、複数の表示・音出力アプリケーション２４が実行されている場合には、当該複数の表示・音出力アプリケーション２４のうちのいずれか一つのアプリケーション２４の実行にともなう音出力を第２音出力部９が行うように音出力制御部２０６が第２音出力部９を制御するようになっている。図７の例では、実行中の音楽再生アプリケーションと音付き動画像再生アプリケーションのうちの一つのアプリケーション２４の実行にともなう音出力が第２音出力部９で行われる。音楽再生アプリケーションの実行にともなう音出力が第２音出力部９で行われる場合には、第２音出力部９からは音楽が出力される。また、音付き動画再生アプリケーションの実行にともなう音出力が第２音出力部９で行われる際には、第２音出力部９からは、再生中の動画像に関連づけられた、音声等の音が第２音出力部９から出力される。
【００６８】
以後、実行中の複数の表示・音出力アプリケーション２４のうち、第２音出力部９で音出力が行われるアプリケーション２４を「アクティブアプリケーション２４」と呼ぶ。また、実行中の複数の表示・音出力アプリケーション２４のうち、第２音出力部９で音出力が行われないアプリケーション２４を「非アクティブアプリケーション２４」と呼ぶ。また、アクティブアプリケーション２４の実行にともなう表示が行われている表示画面４を「アクティブ画面４」と呼ぶ。また、非アクティブアプリケーション２４の実行にともなう表示が行われている表示画面４を「非アクティブ画面４」と呼ぶ。
【００６９】
本実施の形態では、アクティブ画面４には、その端に細い線３００が表示されるようになっている。この細い線３００は例えば青色で表示される。これにより、ユーザは、現在電子機器１００から聞こえる音が、２つの表示画面４のうちのどちらの表示画面４の表示に対応するのかを簡単に特定することができる。図７の例では、音付き動画像再生アプリケーションがアクティブアプリケーション２４であって、音付き動画像再生アプリケーションの実行にともなう表示が行われている第２表示画面４ｂの右端（ユーザにとっての右端）には細い線３００が表示されている。以後、この細い線３００を「アクティブ画面特定線３００」と呼ぶ。
【００７０】
さらに、本実施の形態では、第１操作部１０及び第２操作部１１のうち、アクティブ画面４が設けられている筐体（第１筐体１あるいは第２筐体２）に設けられた操作部が備える複数の操作キーが点灯するようになっている。第１操作部１０及び第２操作部１１のそれぞれにおいては、当該操作部が備える複数の操作キーがバックライトによって点灯可能となっている。このバックライトは制御部２０によって制御される。これにより、ユーザは、現在電子機器１００から聞こえる音が、２つの表示画面４のうちのどちらの表示画面４の表示に対応するのかを簡単に特定することができる。図７の例では、アクティブ画面４である第２表示画面４ｂが設けられている第２筐体２に設けられた第２操作部１１が備えるホームキー１１ａ、メニューキー１１ｂ及びバックキー１１ｃが点灯している。
【００７１】
なお、本実施の形態に係る電子機器１００では、表示・音出力アプリケーション２４が実行される際に、その実行にともなう表示をどの表示画面４で行うかをユーザがキー操作部や表示画面４等を操作することによって選択できるようになっている。つまり、ユーザは、キー操作部や表示画面４等を操作することによって、表示・音出力アプリケーション２４の実行で使用する表示画面４を選択できるようになっている。そして、本実施の形態に係る電子機器１００では、複数の表示・音出力アプリケーション２４が実行される際には、第１表示画面４ａ及び第２表示画面４ｂのうちの一方、例えば第２表示画面４ｂが、最初にアクティブ画面４となるようになっている。したがって、複数の表示・音出力アプリケーション２４が実行される際には、第２表示画面４ｂの表示に関連する音が、最初に第２音出力部９から出力される。
【００７２】
また、非アクティブアプリケーション２４の実行にともなう表示が動画像の再生表示である場合には、当該非アクティブアプリケーション２４の実行にともなう表示を行う表示画面４では、その動画像の再生を行っても良いし、その動画像の再生を停止しても良い。非アクティブアプリケーション２４に関する動画像の再生を停止する場合には、当該非アクティブアプリケーション２４がアクティブアプリケーション２４に変更された場合、自動的にあるいは表示画面４に対する操作によって当該動画像の再生が再開することになる。
【００７３】
また、表示・音出力アプリケーション２４の実行にともなう音出力が音楽等の音の再生出力である場合には、当該表示・音出力アプリケーション２４がアクティブアプリケーション２４から非アクティブアプリケーション２４に変化したときに、その音の再生を停止しても良いし、第２音出力部９からはその音は出力されないものの、電子機器１００の内部で当該音の再生を継続しても良い。
【００７４】
＜音出力が行われるアプリケーションの切り替え＞
本実施の形態に係る電子機器１００では、複数の表示・音出力アプリケーション２４が実行されている場合には、ユーザは、第２音出力部９が音出力を行うアプリケーション２４を変更することができるようになっている。つまり、ユーザは、アクティブアプリケーション２４を変更することができる。本実施の形態では、複数の表示・音出力アプリケーション２４が実行されている場合に、筐体操作検出部２４０が電子機器１００に対するユーザの所定の操作を検出すると、音出力制御部２０６が、第２音出力部９が音出力を行う表示・音出力アプリケーション２４を変更するようになっている。以後、第２音出力部９が音出力を行う表示・音出力アプリケーション２４を変更するための電子機器１００に対する操作を「音出力変更操作」と呼ぶ。
【００７５】
筐体操作検出部２４０が検出する音出力変更操作としては、例えば、電子機器１００が振られる操作を採用することができる。例えば、筐体操作検出部２４０において、電子機器１００が所定時間内に複数回、例えば２回振られる操作が検出されると、音出力制御部２０６は、実行されている２つの表示・音出力アプリケーション２４のうちの非アクティブアプリケーション２４を、アクティブアプリケーション２４に変更する。このとき、電子機器１００が振られる方向は問わないものとする。したがって、電子機器１００がユーザにとっての上下方向に複数回振られた場合にもアクティブアプリケーション２４は変更されるし、電子機器１００がユーザにとっての左右方向に複数回振られた場合にもアクティブアプリケーション２４は変更される。また、電子機器１００がユーザにとっての上方向に１回振られた後に、ユーザにとっての右方向に１回振られた場合にも、アクティブアプリケーション２４は変更される。そして、筐体操作検出部２４０において、電子機器１００が所定時間内に複数回振られる操作が再度検出されると、音出力制御部２０６は、実行されている２つの表示・音出力アプリケーション２４のうちの非アクティブアプリケーション２４を、アクティブアプリケーション２４に変更する。
【００７６】
このように、ユーザは、電子機器１００を所定時間内に複数回振ることによって、アクティブアプリケーション２４を変更することができる。なお、以下の説明で登場する、上方向及び右方向等の「方向」については、ユーザにとっての方向、より詳細には、電子機器１００を持ったユーザが当該電子機器１００を見た際のユーザにとっての方向を意味する。
【００７７】
図８は、図７に示される電子機器１００が上下方向に振られる様子を示す図である。図８の例では、ユーザは両手で電子機器１００を持って上下方向に振っている。なお、ユーザは片手で電子機器１００を持っても良い。
【００７８】
図７に示される電子機器１００が、ユーザによって、例えば、上方向に１回振られた後に下方向に１回振られると、図９に示されるように、アクティブアプリケーション２４が、音付き動画像再生アプリケーションから音楽再生アプリケーションに変更され、アクティブ画面４が第２表示画面４ｂから第１表示画面４ａに変更される。したがって、図９に示されるように、第１表示画面４ａにはアクティブ画面特定線３００が表示されるようになり、第１操作部１０が備えるホームキー１０ａ、メニューキー１０ｂ及びバックキー１０ｃが点灯するようになる。その後、図９に示される電子機器１００が、ユーザによって２回振られると、当該電子機器１００は図７の状態に戻るようになる。
【００７９】
音出力変更操作として他の操作を採用しても良い。例えば、音出力変更操作として、実行中の複数の表示・音出力アプリケーション２４のうち、第２音出力部９が音出力を行っていない表示・音出力アプリケーション２４（非アクティブアプリケーション２４）の実行にともなう表示が行われている表示画面４（非アクティブ画面４）が存在する方向に電子機器１００が振られる操作を採用しても良い。この場合には、音出力制御部２０６は、筐体操作検出部２４０が、当該操作を検出すると、アクティブアプリケーション２４を、当該操作において電子機器１００が振られる方向に存在する表示画面４でその実行にともなう表示が行われている表示・音出力アプリケーション２４に変更する。本実施の形態では、筐体操作検出部２４０が、非アクティブアプリケーション２４の実行にともなう表示が行われている表示画面４が存在する方向に電子機器１００が所定時間内に複数回、例えば２回振られる操作を検出すると、当該非アクティブアプリケーション２４が、アクティブアプリケーション２４となる。
【００８０】
図１０は、図７に示される電子機器１００が、非アクティブアプリケーション２４の実行にともなう表示が行われている第１表示画面４ａが存在する方向に２回振られる様子を示す図である。図１０に示されるように、図７に示される電子機器１００が、第１表示画面４ａが存在する方向（上方向）に所定時間内に２回振られると、アクティブアプリケーション２４が、音付き動画像再生アプリケーションから、第１表示画面４ａにその実行にともなう表示が行われている音楽再生アプリケーションに変更される。
【００８１】
その後、図１１に示されるように、電子機器１００が、非アクティブ画面４である第２表示画面４ｂが存在する方向（下方向）に所定時間内に２回振られると、アクティブアプリケーション２４が、音楽再生アプリケーションから、第２表示画面４ｂにその実行にともなう表示が行われている音付き動画像再生アプリケーションに変更される。
【００８２】
なお、図１２に示されるように、第１表示画面４ａ及び第２表示画面４ｂが左右方向に並ぶように電子機器１００がユーザによって持たれる場合には、筐体操作検出部２４０が、非アクティブアプリケーション２４である音楽再生アプリケーションの実行にともなう表示が行われている第１表示画面４ａが存在する方向、つまり右方向に電子機器１００が所定時間内に２回振られる操作を検出すると、音楽再生アプリケーションが、アクティブアプリケーション２４となる。その後、図１３に示されるように、筐体操作検出部２４０が、非アクティブアプリケーション２４である音付き動画像再生アプリケーションの実行にともなう表示が行われている第２表示画面４ｂが存在する方向、つまり左方向に電子機器１００が所定時間内に２回振られる操作を検出すると、音付き動画像再生アプリケーションが、アクティブアプリケーション２４となる。第１表示画面４ａ及び第２表示画面４ｂが左右方向に並ぶように電子機器１００がユーザによって持たれる場合には、例えば、アクティブ画面４の下側端にアクティブ画面特定線３００が表示される。
【００８３】
このように、本実施の形態では、ユーザは電子機器１００を振ることによって、第２音出力部９が音出力を行うアプリケーション２４を変更することができるため、ユーザは、電子機器１００に対する簡単な操作で音出力を行うアプリケーション２４を変更することができる。よって、電子機器１００に対する操作性が向上する。
【００８４】
なお、音出力変更操作として、上述の図８〜図１３を参照して説明した、電子機器１００が振られる操作に加えて、あるいはそれに代えて、電子機器１００の姿勢が変化させられる操作を採用しても良い。
【００８５】
例えば、音出力変更操作として、電子機器１００がひっくり返されて（裏返しされて）元に戻される操作を採用しても良い。この場合には、筐体操作検出部２４０が、例えば、電子機器１００が図７の状態から図１４に示されるようにひっくり返されて、図７の状態に戻される操作を検出すると、アクティブアプリケーション２４が、上述の図９に示されるように、音付き動画像再生アプリケーションから音楽再生アプリケーションに変更される。つまり、アクティブ画面４が、第２表示画面４ｂから第１表示画面４ａに変更される。
【００８６】
また、音出力変更操作として、電子機器１００がひっくり返されて元に戻される操作に加えて、あるいはそれに代えて、電子機器１００が現状の姿勢から傾けられて元に戻される操作を採用しても良い。このとき、電子機器１００が所定の方向、例えば後方に傾けられて元に戻されたときにだけアクティブアプリケーション２４を変更しても良いし、電子機器１００が傾けられる方向は問わずに、電子機器１００が傾けられて元に戻されれば常にアクティブアプリケーション２４を変更しても良い。図１５は、ユーザ４００が、電子機器１００を後方（奥側）に傾けて元に戻すことによって、アクティブアプリケーション２４を変更する様子を示す図である。図１５では、後方に傾けられる前の電子機器１００が実線で示されており、後方に傾けられている電子機器１００が波線で示されている。
【００８７】
このように、ユーザは、電子機器１００を傾けて元に戻すだけで、第２音出力部９が音出力を行うアプリケーション２４を変更できるため、ユーザは、電子機器１００に対する簡単な操作で音出力を行うアプリケーション２４を変更することができる。よって、電子機器１００に対する操作性が向上する。
【００８８】
＜第２音出力部の音量調整＞
次に第２音出力部９の音量調整について説明する。本実施の形態では、筐体操作検出部２４０が、電子機器１００に対する、上記の音出力変更操作とは異なる所定の操作を検出すると、音出力制御部２０６が、第２音出力部９の音量を変更するようになっている。以後、この「音出力変更操作とは異なる所定の操作」を「音量変更操作」と呼ぶ。
【００８９】
音量変更操作としては、例えば、電子機器１００が振られる操作を採用することができる。筐体操作検出部２４０において、例えば、電子機器１００が所定時間内に１回だけ振られる操作が検出されると、音出力制御部２０６は第２音出力部９の音量を所定量だけ大きくする。その後、筐体操作検出部２４０において、電子機器１００が所定時間内に１回だけ振られる操作が再度検出されると、音出力制御部２０６は、第２音出力部９の音量をさらに所定量だけ大きくする。音出力制御部２０６は、第２音出力部９の音量が最大の場合に、筐体操作検出部２４０において、電子機器１００が所定時間内に１回だけ振られる操作が検出されると、第２音出力部９の音量を所定量だけ小さくする。その後、筐体操作検出部２４０において、電子機器１００が所定時間内に１回だけ振られる操作が検出されると、音出力制御部２０６は、第２音出力部９の音量をさらに所定量だけ小さくする。そして、音出力制御部２０６は、第２音出力部９の音量が最小の場合に、筐体操作検出部２４０において、電子機器１００が所定時間内に１回だけ振られる操作が検出されると、第２音出力部９の音量を所定量だけ大きくする。以後、音出力制御部２０６は同様に動作する。
【００９０】
このように、本実施の形態では、電子機器１００が１回振られるたびに、第２音出力部９の音量が大きくなり、当該音量が最大となると、電子機器１００が１回振られるたびに、第２音出力部９の音量が小さくなる。そして、電子機器１００の音量が最小となると、電子機器１００が１回振られるたびに、第２音出力部９の音量が大きくなる。なお、この場合においては、電子機器１００が振られる方向は問わないものとする。したがって、第２音出力部９の音量は、電子機器１００が上方向に１回振られても変化するし、電子機器１００が右方向に１回振られても変化する。
【００９１】
音量変更操作として、上記の操作とは別の操作を採用しても良い。例えば、音量変更操作として、電子機器１００が所定時間内において所定方向に所定回数振られる操作を採用しても良い。この場合には、例えば、筐体操作検出部２４０が、ある特定の方向（例えば上方向）に電子機器１００が所定時間内に１回だけ振られる操作を検出すると、音出力制御部２０６は、第２音出力部９の音量を所定量だけ大きくする。そして、筐体操作検出部２４０が、当該特定の方向とは逆方向（例えば下方向）に電子機器１００が所定時間内に１回だけ振られる操作を検出すると、音出力制御部２０６は、第２音出力部９の音量を所定量だけ小さくする。
【００９２】
図１６は、図７に示される電子機器１００が、ユーザによって、所定時間内において上方向に１回だけ振られる様子を示す図である。図１６に示されるように、図７に示される電子機器１００が、所定時間内において上方向に１回だけ振られると、第２音出力部９から出力される音（第２表示画面４ｂに表示されている動画像に関連づけられている音）の音量が所定量だけ大きくなる。このとき、図１６に示されるように、第２音出力部９の音量を示す音量表示図形３５０を一定時間だけアクティブ画面４に表示して、当該音量表示図形３５０に変更後の音量を示しても良い。
【００９３】
本実施の形態では、第２音出力部９の音量は、例えば、第０段階から第５段階まで設定することが可能であって、第０段階に設定されると第２音出力部９からは音が出力されない。電子機器１００が、所定時間内において上方向に１回だけ振られると、第２音出力部９の音量は例えば１段階だけ大きくなる。
【００９４】
音量表示図形３５０は、５つの四角形３５０ａが互いに隣接するように一列に並べられて構成されている。この５つの四角形３５０ａでは、第２音出力部９の音量に応じた数だけ左側から表示色が変化するようになっている。第２音出力部９の音量が第０段階のときには、５つの四角形３５０ａの表示色は同じであり、この表示色を基準とすると、第２音出力部９の音量が第１段階のときには一番左の四角形３５０ａの表示色が変化し、第２音出力部９の音量が第２段階のときには左から２つの四角形３５０ａの表示色が変化する。そして、第２音出力部９の音量が第３段階のときには左から３つの四角形３５０ａの表示色が変化し、第２音出力部９の音量が第４段階のときには左から４つの四角形３５０ａの表示色が変化し、第２音出力部９の音量が第５段階のときにはすべての四角形３５０ａの表示色が変化する。図１６に示され音量表示図形３５０は、第２音出力部９の音量が第３段階に設定されていることを示している。
【００９５】
一方で、図１７に示されるように、図７に示される電子機器１００が、所定時間内において下方向に１回だけ振られると、第２音出力部９から出力される音の音量が所定量だけ、例えば１段階だけ小さくなる。この場合にも、図１７に示されるように、変更後の音量を示す音量表示図形３５０を一定時間だけアクティブ画面４に表示しても良い。
【００９６】
このように、本実施の形態では、ユーザは、アクティブアプリケーション２４を変更する場合とは異なる態様で電子機器１００を振るだけで、第２音出力部９の音量を変更することができるため、ユーザは、電子機器１００に対する簡単な操作で第２音出力部９の音量を変更することができる。よって、電子機器１００に対する操作性が向上する。
【００９７】
なお、音量変更操作として、上述の電子機器１００が振られる操作に加えて、あるいはそれに代えて、電子機器１００の姿勢が変化させられる操作を採用しても良い。
【００９８】
例えば、音量変更操作として、電子機器１００が現状の姿勢から傾けられる操作を採用しても良い。この場合には、例えば、筐体操作検出部２４０が、電子機器１００が後方（奥側）に傾けられて、所定時間内において当該電子機器１００の姿勢が元に戻されないことを検出すると、音出力制御部２０６は、第２音出力部９の音量を所定量だけ大きくする。一方で、筐体操作検出部２４０が、電子機器１００が前方（前側）に傾けられて、所定時間内において当該電子機器１００の姿勢が元に戻されないことを検出すると、音出力制御部２０６は、第２音出力部９の音量を所定量だけ小さくする。
【００９９】
図１８は、ユーザ４００が、電子機器１００を前後方向に傾けることによって第２音出力部９の音量を調整する様子を示す図である。図１８では、傾けられる前の電子機器１００が実線で示されており、後方に傾けられている電子機器１００が波線で示されており、前方に傾けられている電子機器１００が一点鎖線で示されている。
【０１００】
このように、ユーザは、アクティブアプリケーション２４を変更する場合とは異なる態様で電子機器１００の姿勢を変化させるだけで、第２音出力部９の音量を変更することができることから、ユーザは、電子機器１００に対する簡単な操作で第２音出力部９の音量を変更することができる。よって、電子機器１００に対する操作性が向上する。
【０１０１】
＜各種変形例＞
＜第１変形例＞
上記の例では、複数の表示・音出力アプリケーション２４が実行されている場合には、それらの実行にともなう表示を複数の表示画面４のそれぞれで行っていたが、実行中の複数の表示・音出力アプリケーション２４のうちのアクティブアプリケーション２４の実行にともなう表示だけを、当該複数の表示画面４のすべてを用いて行うことができるようにしても良い。この場合には、非アクティブアプリケーション２４は実行されているものの、その実行にともなう表示及び音出力は行われないことになる。
【０１０２】
図１９は、上述の図７に示される電子機器１００において、アクティブアプリケーション２４である音付き動画像再生アプリケーションの実行にともなう表示だけが、第１表示画面４ａ及び第２表示画面４ｂのすべてを用いて行われている様子を示す図である。この場合には、図７に示されるような、第２表示画面４ｂだけを使用して音付き動画像再生アプリケーションの実行にともなう表示を行う場合と比較して、動画像が大きく表示されることになる。また、第１表示画面４ａ及び第２表示画面４ｂの両方にアクティブ画面特定線３００が表示されるようになる。そして、第１操作部１０及び第２操作部１１のそれぞれにおいて、複数の操作キーが点灯するようになる。
【０１０３】
以後、図７に示されるように、電子機器１００において、実行中の複数の表示・音出力アプリケーション２４の実行にともなう表示が複数の表示画面４のそれぞれで行われる動作モードを「１画面モード」と呼ぶ。これに対して、図１９に示されるように、電子機器１００において、実行中の複数の表示・音出力アプリケーション２４のうちのアクティブアプリケーション２４の実行にともなう表示だけが、複数の表示画面４のすべてが用いられて行われる動作モードを「複数画面モード」と呼ぶ。
【０１０４】
電子機器１００での１画面モードから複数画面モードへの切り替えと、複数画面モードから１画面モードへの切り替えは、第１操作部１０、第２操作部１１及び表示画面４を操作することによって行うことができる。例えば、図７に示される電子機器１００において、ユーザが第２操作部１１の点灯しているメニューキー１１ｂを操作すると、第２表示画面４ｂにはメニュー画面が表示されるようになる。その後、このメニュー画面に対してユーザが所定の操作を行うと、電子機器１００が１画面モードから、図１９に示される複数画面モードに変化する。
【０１０５】
また、図１９に示される電子機器１００において、ユーザが第１操作部１０の点灯しているメニューキー１０ｂを操作すると、第１表示画面４ａにはメニュー画面が表示されるようになる。このメニュー画面に対してユーザが所定の操作を行うと、電子機器１００が複数画面モードから、図７に示される１画面モードに変化する。同様にして、ユーザが第２操作部１１の点灯しているメニューキー１１ｂを操作すると、第２表示画面４ｂにはメニュー画面が表示されるようになる。このメニュー画面に対してユーザが所定の操作を行うと、電子機器１００が複数画面モードから１画面モードに変化する。
【０１０６】
なお、複数画面モードの電子機器１００において、筐体操作検出部２４０が音出力変更操作を検出すると、アクティブアプリケーション２４が変更され、変更後のアクティブアプリケーション２４の実行にともなう表示が複数の表示画面４のすべてを利用して行われる。例えば、図１９に示される電子機器１００において、筐体操作検出部２４０が音出力変更操作を検出すると、アクティブアプリケーション２４が音付き動画像再生アプリケーションから音楽再生アプリケーションに変更され、音楽再生アプリケーションの実行にともなう表示が第１表示画面４ａから第２表示画面４ｂにわたって行われる。
【０１０７】
また、１画面モードの電子機器１００において、筐体操作検出部２４０が音出力変更操作を検出すると、アクティブアプリケーション２４を変更するとともに、電子機器１００を１画面モードから複数画面モードに変更しても良い。例えば、上述の図９に示される電子機器１００において、筐体操作検出部２４０が音出力変更操作を検出すると、アクティブアプリケーション２４が音楽再生アプリケーションから音付き動画像再生アプリケーションに変更し、電子機器１００が１画面モードから複数画面モードとなって、図１９の状態になる。
【０１０８】
また、電子機器１００が１画面モードから複数画面モードへ切り替えられた場合であって、非アクティブアプリケーション２４の実行にともなう表示が動画像の再生表示である場合には、その動画像の再生を停止しても良いし、その動画像の再生を電子機器１００の内部で行っても良い。
【０１０９】
また、電子機器１００が１画面モードから複数画面モードへ切り替えられた場合であって、非アクティブアプリケーション２４である表示・音出力アプリケーション２４の実行にともなう音出力が音楽等の音の再生出力である場合には、その音の再生を停止しても良いし、電子機器１００の内部でその音の再生を行っても良い。
【０１１０】
＜第２変形例＞
上記の例では、複数の表示・音出力アプリケーション２４を実行している電子機器１００において、筐体操作検出部２４０が音出力変更操作を検出すると、アクティブアプリケーション２４を変更していたが、これに加えて、あるいはこれに代えて、画面操作検出部２２０が音出力変更操作を検出すると、アクティブアプリケーション２４を変更しても良い。以下に本変形例について説明する。
【０１１１】
複数の表示・音出力アプリケーション２４を実行している電子機器１００において、画面操作検出部２２０が、非アクティブアプリケーション２４の実行にともなう表示を行っている表示画面４、つまり非アクティブ画面４に対するユーザの所定の画面操作を検出すると、音出力制御部２０６は、第２音出力部９が音出力を行うアプリケーション２４を、当該所定の画面操作が行われた表示画面４（非アクティブ画面４）にその実行にともなう表示が行われているアプリケーション２４に変更する。以後、音出力変更操作のうち、第２音出力部９が音出力を行うアプリケーション２４を変更するための表示画面４に対する所定の画面操作を「音出力変更画面操作」と呼ぶ。
【０１１２】
例えば、上述の図７に示される電子機器１００において、非アクティブアプリケーション２４である音楽再生アプリケーションの実行にともなう表示を行っている第１表示画面４ａに対して、図２０に示されるように、ユーザが指５００で音出力変更画面操作を行うと、上述の図９に示されるように、アクティブアプリケーション２４が、音付き動画像再生アプリケーションから、当該音出力変更画面操作が行われた第１表示画面４ａにその実行にともなう表示が行われているアプリケーション２４、つまり音楽再生アプリケーションに変更される。なお、ユーザは、自身の指５００以外の画面操作手段、例えばペン状部材によって、表示画面４を操作しても良い。
【０１１３】
音出力変更画面操作としては、タッチ操作、タップ操作あるいはフリック操作を採用することができる。ここで、タッチ操作とは、表示画面に対して画面操作手段（指やペン状部材など）が接触する操作である。したがって、音出力変更画面操作としてタッチ操作を採用した場合には、音出力制御部２０６は、非アクティブ画面４に対して画面操作手段が接触したことを画面操作検出部２２０が検出すると、当該非アクティブ画面４にその実行にともなう表示が行われているアプリケーション２４をアクティブアプリケーション２４とする。なお、タッチ操作のうち、画面操作手段が表示画面に対して接触箇所が変化せずに所定時間以上接触する操作を「ロングタッチ操作」と呼ぶ。
【０１１４】
また、タップ操作とは、画面操作手段が、表示画面に対して接触してから、その接触箇所が変化せずに離れるまでの操作である。したがって、音出力変更画面操作としてタップ操作を採用した場合には、音出力制御部２０６は、非アクティブ画面４に対して画面操作手段が接触し、その接触箇所が変化せずに離れたことを画面操作検出部２２０が検出すると、当該非アクティブ画面４にその実行にともなう表示が行われているアプリケーション２４をアクティブアプリケーション２４とする。
【０１１５】
また、フリック操作とは、画面操作手段が表示画面に対して接触してから離れるまでの時間が所定時間内であって、かつ画面操作手段が表示画面に対して接触してから離れるまで所定距離以上移動する操作である。したがって、音出力変更画面操作としてフリック操作を採用した場合には、音出力制御部２０６は、画面操作手段が非アクティブ画面４に対して接触して離れるまでが所定時間内であって、画面操作手段が非アクティブ画面４に対して接触して離れるまでに所定距離以上移動したことを画面操作検出部２２０が検出すると、当該非アクティブ画面４にその実行にともなう表示が行われているアプリケーション２４をアクティブアプリケーション２４とする。
【０１１６】
このように、ユーザは、非アクティブ画面４に対して操作を行うことによって、当該非アクティブ画面４にその実行にともなう表示が行われているアプリケーション２４をアクティブアプリケーション２４とすることができる。したがって、ユーザは、電子機器１００に対する簡単な操作でアクティブアプリケーション２４を所望のアプリケーション２４に変更することができる。よって、電子機器１００に対する操作性が向上する。
【０１１７】
＜第３変形例＞
上記の例では、筐体操作検出部２４０が音量変更操作を検出すると、第２音出力部９の音量を変更していたが、これに加えて、あるいはこれに代えて、画面操作検出部２２０が所定の画面操作を検出すると、第２音出力部９の音量を変更しても良い。例えば、音出力制御部２０６は、画面操作検出部２２０がアクティブ画面４に対するロングタップ操作を検出すると、第２音出力部９の音量を変更しても良い。この場合には、アクティブ画面４に画面操作手段が接触している間、第２音出力部９の音量を徐々に変化させる。例えば、画面操作手段がアクティブ画面４に接触している間、第２音出力部９の音量を徐々に大きくして、第２音出力部９の音量が最大となると、今度は第２音出力部９の音量を徐々に小さくする。また、画面操作手段がアクティブ画面４に接触している間、第２音出力部９の音量を徐々に小さくして第２音出力部９の音量が最小となると、第２音出力部９の音量を徐々に大きくする。これにより、ユーザは、指などの画面操作手段を表示画面４に接触させる時間を調整することによって、第２音出力部９の音量を所望の大きさに設定することができる。
【０１１８】
＜第４変形例＞
上記の例では、電子機器１００は、２つの表示画面を備えていたが、３つ以上の表示画面を備え、当該３つ以上の表示画面が同時に視認可能となるような態様で使用される電子機器であっても良い。
【０１１９】
図２１は、電子機器１００に対して第３表示部３ｃをさらに設けた場合の当該電子機器１００の表示例を示す図である。第３表示部３ｃは、第２筐体２に接続された第３筐体６００に設けられている。図２１の例では、電子機器１００は、音楽再生アプリケーションと、音付き動画像再生アプリケーションと、テレビ視聴アプリケーションとを実行している。図７と同様に、第１表示画面４ａ及び第２表示画面４ｂでは、音楽再生アプリケーション及び音付き動画再生アプリケーションの実行にともなう表示がそれぞれ行われている。また、第３表示部３ｃの第３表示画面４ｃでは、テレビ視聴アプリケーションの実行にともなう表示が行われている。つまり、第３表示画面４ｃにはテレビ画面が表示されている。
【０１２０】
図２１に示されるような、３つ以上の表示画面を備える電子機器１００であっても、上記と同様にして、アクティブアプリケーション２４を変更したり、第２音出力部９の音量を変更したりすることができる。
【０１２１】
例えば、音出力変更操作として、電子機器１００が振られる操作が採用される場合には、電子機器１００が所定時間内に複数回振られるたびに、実行中の複数の表示・音出力アプリケーション２４のそれぞれが順番にアクティブアプリケーション２４となる。例えば、図２１に示される電子機器１００が所定時間内に複数回振られると、アクティブアプリケーション２４が、音付き動画像再生アプリケーションからテレビ視聴アプリケーションに変更される。その後、電子機器１００が所定時間内に複数回振られると、アクティブアプリケーション２４が、テレビ視聴アプリケーションから音楽再生アプリケーションに変更される。その後、電子機器１００が所定時間内に複数回振られると、アクティブアプリケーション２４が、音楽再生アプリケーションから音付き動画像再生アプリケーションに変更される。
【０１２２】
また、音出力変更操作として、非アクティブアプリケーション２４の実行にともなう表示が行われている表示画面４が存在する方向に電子機器１００が振られる操作を採用した場合には、図２１に示される電子機器１００が下方向に振られると、その方向に存在する第３表示画面４ｃにその実行にともなう表示が行われているテレビ視聴アプリケーションがアクティブアプリケーション２４となる。また、図２１に示される電子機器１００が上方向に振られると、その方向に存在する第１表示画面４ａにその実行にともなう表示が行われている音楽再生アプリケーションがアクティブアプリケーション２４となる。なお、図２１の電子機器１００において、第２表示画面４ｂは中央に位置することから、第２表示画面４ｂが非アクティブ画面４であって、第２表示画面４ｂをアクティブ画面４に変更する場合には、ユーザは電子機器１００を第２表示画面４ｂが存在する方向に振ることができない。そこで、この場合には、ユーザが電子機器１００を手前側あるいは奥側に振ると、音付き動画像再生アプリケーションをアクティブアプリケーションに設定して、第２表示画面４ｂをアクティブ画面４にする。
【０１２３】
＜その他の変形例＞
上述の実施の形態及びその変形例では、本願発明を携帯電話機に適用する場合を例にあげて説明したが、本願発明は携帯電話機以外の電子機器にも適用することができる。例えば、本願発明は、複数のゲームアプリケーションを同時に実行することが可能なゲーム機、音楽再生アプリケーション及び音付き動画再生アプリケーションを同時に実行することが可能な携帯型の音楽・動画プレーヤなどに適用することができる。
【０１２４】
また、本願発明は、上述の電子機器１００とは異なり、複数の表示画面が常に同時に視認可能な状態である電子機器に対しても適用することができる。また、本願発明は、開状態では複数の表示画面を同時に視認可能であるものの、閉状態では複数の表示画面のすべてが視認できないような電子機器に対しても適用することができる。例えば、２つの筐体を互いに重なるように折り畳むことができる２つ折り型の携帯電話機やノート型のパーソナルコンピュータにおいて、当該２つの筐体の内側の面のそれぞれに表示画面が形成されたものに対しても、本願発明を適用することができる。
【符号の説明】
【０１２５】
４  表示画面
４ａ  第１表示画面
４ｂ  第２表示画面
４ｃ  第３表示画面
９  第２音出力部
２３  記憶部
２４  アプリケーションプログラム
１００  電子機器
２００  実行部
２０６  音出力制御部
２２０  画面操作検出部
２４０  筐体操作検出部
【図１】
0005702690.tif 000002
【図２】
0005702690.tif 000003
【図３】
0005702690.tif 000004
【図４】
0005702690.tif 000005
【図５】
0005702690.tif 000006
【図６】
0005702690.tif 000007
【図７】
0005702690.tif 000008
【図８】
0005702690.tif 000009
【図９】
0005702690.tif 000010
【図１０】
0005702690.tif 000011
【図１１】
0005702690.tif 000012
【図１２】
0005702690.tif 000013
【図１３】
0005702690.tif 000014
【図１４】
0005702690.tif 000015
【図１５】
0005702690.tif 000016
【図１６】
0005702690.tif 000017
【図１７】
0005702690.tif 000018
【図１８】
0005702690.tif 000019
【図１９】
0005702690.tif 000020
【図２０】
0005702690.tif 000021
【図２１】
0005702690.tif 000022